(57)【特許請求の範囲】
【請求項１】
デジタル化多重信号を所定方向に伝送する第１の伝送路と所定方向とは反対方向に伝送する第２の伝送路とからなるループ状の伝送路と、前記ループ状の伝送路を介して相互に信号のやり取りを行う複数の端末装置と、前記伝送路の途中に配置され、前記伝送路に伝送される信号のうち、所定のタイムスロットの信号を抽出して多重分離し前記端末装置に向けて送り出し、または、前記端末装置からの信号を取り込んで多重化し、前記伝送路へ送り出すノード装置とからなるデータ伝送装置において、伝送路から受信する信号から該当する映像チヤネルのデータをデジタル復号化装置へ出力するとともに映像選択信号を伝送路を介して必要なノード装置に伝送する第１の端末回線インタフエース、および、伝送路からの映像選択信号を受信し映像選択信号に応じて該当するノード装置において所定の映像チヤネルヘ所定の撮像手段によるデジタル映像を出力する第２の端末回線インタフエースを備えたものであって、前記ノード装置は、多重化フレーム上の所定のタイムスロットへデータ信号を多重化し、あるいは、多重化フレーム上の所定のタイムスロットからデータ信号を抽出して多重分離を行う多重化／多重分離部を備え、前記多重化／多重分離部は、伝送路からのデジタル受信信号を再び伝送路へ送り出すまでの間一時記憶する受信中継メモリと、端末装置から送り込まれる多重化のためのデジタル多重化信号を一時記憶する多重メモリと、前記多重メモリから読み出される内容を多重化フレーム上のタイムスロットのアドレス指定によって前記受信中継メモリから読み出される内容に入替える制御を行う信号を発生する多重メモリアドレス変換部と、前記受信中継メモリの内容と前記多重メモリの内容を前記多重メモリアドレス変換部からの制御に基ずいて切り替えるセレクタ部と、前記デジタル受信信号を多重分離するために一時記憶する分離メモリと、前記端末装置から送り込まれる多重化のためのデジタル多重化信号を一時記憶する局内交換メモリと、前記局内交換メモリから読み出される内容を多重化フレーム上のタイムスロットのアドレス指定によって前記分離メモリから読み出される内容に入替える制御を行う信号を発生する分離メモリアドレス変換部と、前記分離メモリの内容と前記局内交換メモリの内容を前記分離メモリアドレス変換部からの制御に基ずいて切り替えるセレクタとを備え、タイムスロットをデジタル符号化された映像信号に必要な容量毎の映像チヤネルに分割した内容を多重メモリアドレス変換部、および、分離メモリアドレス変換部に対応させて設定するとともに、映像選択信号のタイムスロットおよび他の通信用途のタイムスロットをも設定し、映像選択指示装置からは前記映像チヤネルの番号を指定可能とすることで、映像選択信号による映像要求に基づき所望の撮像手段による映像を所望の表示手段に表示させるようにしたことを特徴とするデータ伝送装置。
【発明の詳細な説明】
【０００１】
【発明の属する技術分野】
この発明は、複数のノード装置をループ状，線状，またはメッシュ状などに接続し、各ノード装置に接続された複数の端末装置間でデータ伝送を行う、データ伝送装置に関し、特に、多重伝送方式としてＳＤＨ（同期デジタル・ハイアラーキ）によるフレーム構造を有するデータ伝送装置に関するものである。
【０００２】
【従来の技術】
図２７は、例えば特開平１１−１１２５３７号公報に示されているＳＤＨ方式を用いたデータ伝送装置の構成図である。
図において、Ｎｌ〜Ｎ６はノード装置、９１はこれらノード装置に接続されている端末装置である。１０は０系伝送路、１１は１系伝送路であり、２重ループの伝送路になっている。
なお、上記伝送路の信号は高速デジタル信号に適用されるＳＤＨ方式のフレーム構造を採用している。
【０００３】
図２８は、前記ノード装置Ｎｌ〜Ｎ６の構成図である。各ノード装置は同一構成になっている。図２８において図２７と同じ符号のものは同じ繊能のものを示す。
図において、４１ａはＡ系ＳＴＭ−１終端部、４１ｂはＢ系ＳＴＭ−１終端部で、それぞれ光伝送路１０，１１からの光信号を電気信号に変換する光／電気変換部２０、電気信号を光信号に変換して光伝送路へ送り出す電気／光変換部２１、ＳＴＭ−１終端部２２から構成される。
【０００４】
このデータ伝送装置では、０系伝送路１０からの光信号はＡ系ＳＴＭ−１終端部４１ａに入力され、Ａ系ＳＴＭ−１終端部４１ａから出力された光信号は、１系伝送路１１に送り出される。
また、１系伝送路１１からの光信号は、Ｂ系ＳＴＭ−１終端部４１ｂへ入力され、Ｂ系ＳＴＭ−１終端部４１ｂから出力した光信号は０系伝送路１０へ送り出される。
【０００５】
０系伝送路１０から入力された光信号はＡ系ＳＴＭ−１終端部４１ａにおいて、また１系伝送路１１から入力された光信号はＢ系ＳＴＭ−１終端部４１ｂにて、また１系伝送路１１から入力された光信号はＢ系ＳＴＭ−１終端部４１ｂにおいて、それぞれの光／電気変換部２０で電気信号に変換された後、それぞれのＳＴＭ−１終端部２２でＳＯＨ部分（セクションオーバヘッド部分）が取り除かれ、系選択回路部２３へ出力される。
【０００６】
２３は上記Ａ系とＢ系の選択を行う系選択回路部、２４は多重化フレーム上の所定のタイムスロットへデータ信号を多重化し、あるいは多重化フレーム上の所定のタイムスロットからデータ信号を抽出して多重分離を行う多重分離化を行う多重化／多重分離部、２６は多重化／多重分離部と端末回線インタフエース部との間の信号のやり取りを行う多重／分離バスである。２５はノード装置と端末装置９１との間のインタフエースをとる端末回線インタフエース部、９１は端末装置である。２７はノード管理パス２８を介してノード内の各回路と接続し各回路が所望の動作を行うようデータを設定したり監視を行うノード管理プロセッサ一部である。
【０００７】
また、図２９は、ＳＤＨの基本構造であるＳＴＭ−１の多重化フレーム構造を示す。ＳＴＭ−１では、１フレーム１２５μＳ（音声情報の符号化の基本周期）に９列２７０行のタイムスロットを持つように構成されている。ここで、１タイムスロットは６４Ｋｂ／ｓ相当の伝送容量を有する。従って、ＳＴＭ−１の伝送容量は、１５５．５２Ｍｂ／ｓとなる。
【０００８】
多重化フレームの構造は、バイト単位の行数と列放で表現されているが、これは高速となるとビット数が多くなり、横１列では書き切れないことと、ネットワークの管理に使うオーバヘッド信号を集中的に配置して見やすくするためである。
ＳＴＭ−１のフレーム構造は、９列目以降の２６１列は各種情報を収容するタイムスロットであり、ペイロードと呼ばれる。なお、図２９に記載の例はバーチャルコンテナＶＣ−４で構成されており、その先頭にコンテナの監視信号であるパスオーバヘッド（Ｐ．Ｏ．Ｈ）が配置されている。
一方、最初の９行×９列は各種情報を伝達する際のネットワーク管理情報を収容するセクションオーバヘッド（Ｓ．Ｏ．Ｈ）と、ペイロードに収容される多重化情報の先頭位置を指定するポインターに割り当てられている。
ＳＤＨの基本構成であるＳＴＭ−１への多重化は、バーチャルコンテナ（ＶＣ）と呼ばれる規格化された伝送容量を単位として積み上げていく。バーチャルコンテナは、既存の低速情報を含む各種の情報が多重化できるように準備されている。
なお、図２９で多重化されるバーチャルコンテナＶＣ−４のフレームを、ペイロードからずらせて表現しているのは、ＳＴＭ−１の時間位相とＶＣ−４のフレーム位相が変化する事を表している。
【０００９】
次に、動作を説明する。
０系伝送路１０から入力した受信信号はＡ系伝送路インタフエース４０ａに入力され、デジタル信号に変換されて系選択回路部２３に導かれる。また、１系伝送路１１から入力した受信信号はＢ系伝送路インタフエース４０ｂに入力され、デジタル信号に変換されて系選択回路部２３に導かれる。
系選択回路部２３では、伝送装置の動作状態に応じた制御により、Ａ系伝送路インタフエース４０ａ又は、Ｂ系伝送路インタフエース４０ｂの何れかの信号選択が行われ、多重化／多重分離部２４へ導かれる。
多重化／多重分離部２４はＳＤＨ多重化構造に基ずき多重化されたデータを多重分離し、そのうち、端末装置９１毎に予め割り当てられているフレーム上のタイムスロット位置にマッピングされているデータを端末インタフエース２５へ出力し、それ以外のデータを一時記憶する。
一方、端末装置９１からの信号は、端末回線インタフエース装置２５でデジタル信号に変換されて多重化／多重分離部２４に渡される。
この多重化／多重分離部２４では端末装置９１毎に予め定められているタイムスロット位置にマッピングされ、前記多重化／多重分離部２４で一時記憶されている信号と多重化されて、系選択回路部２３およびＢ系伝送路インタフエース１０を経て０系伝送路１０に送り出される。
【００１０】
図３０は、従来のデータ伝送装置を用いてデジタル符号化された映像信号を伝送する場合の構成図の例である。ノード装置Ｎ２〜Ｎ６の端末装置として映像信号のデジタル符号化装置９２，カメラ９３をそれぞれ接続し、ノード装置Ｎｌの端末装置として映像信号のデジタル復号化装置９４、入力したアナログ信号の映像信号を切り替えて出力するマトリックススイッチ９５、映像信号を表示するテレビモニタ９６が接続されている。
図３０の例ではデジタル符号化装置ＥＮＣｌとデジタル復号化装置ＤＥＣｌが１：１で対向しており、同様にＥＮＣ２とＤＥＣ２、ＥＮＣ３とＤＥＣ３、ＥＮＣ４とＤＥＣ４、ＥＮＣ５とＤＥＣ５が１：１で対向し、カメラ９３で撮影した映像をデジタル符号化しそれぞれ対向のデジタル復号化装置９４からアナログ信号の映像を出力する。
複数のデジタル復号化装置９４からの映像信号の内、見たい映像をマトリックススイッチ９５で選択し、テレビモニタ９６で表示する。
【００１１】
【発明が解決しようとする課題】
従来のデータ伝送装置は以上のように構成されているため、端末装置聞の伝送は１：１の対向で伝送するしかなく、例えばカメラの映像を伝送しその中から必要な映像をモニタに表示する場合、必要な映像を全て伝送し集めた後外部に専用に設けたマトリックススイッチ等で選択する必要であり、伝送装置以外に複数の装置が必要であった。
【００１２】
また、複数の映像を選択するために一度デジタル符号化装置によリデジタル化された映像信号を再度アナログ備考に戻す必要がある。このため、選択した映像信号をさらに別の伝送装置を用いて伝送する場合、さらに別のデジタル符号化装置が必要で、また映像の品質劣化を招くという問題があった。
【００１３】
また、必要な映像を全て伝送する必要があるため、データ伝送装置の最大伝送容量を越える映像を伝送するシステムでは、システムを複数導入する必要があり、不経済である問題があった。
【００１４】
この発明は、このような課題を解決するためになされたものであり、デジタル符号化された映像信号についての選択の自由度を適切に向上できるデータ伝送装置を得ようとするものである。
【００１５】
【課題を解決するための手段】
この発明に係るデータ伝送装置は、デジタル化多重信号を所定方向に伝送する第１の伝送路と所定方向とは反対方向に伝送する第２の伝送路とからなるループ状の伝送路と、前記ループ状の伝送路を介して相互に信号のやり取りを行う複数の端末装置と、前記伝送路の途中に配置され、前記伝送路に伝送される信号のうち、所定のタイムスロットの信号を抽出して多重分離し前記端末装置に向けて送り出し、または、前記端末装置からの信号を取り込んで多重化し、前記伝送路へ送り出すノード装置とからなるデータ伝送装置において、伝送路から受信する信号から該当する映像チヤネルのデータをデジタル復号化装置へ出力するとともに映像選択信号を伝送路を介して必要なノード装置に伝送する第１の端末回線インタフエース、および、伝送路からの映像選択信号を受信し映像選択信号に応じて該当するノード装置において所定の映像チヤネルヘ所定の撮像手段によるデジタル映像を出力する第２の端末回線インタフエースを備えたものであって、前記ノード装置は、多重化フレーム上の所定のタイムスロットへデータ信号を多重化し、あるいは、多重化フレーム上の所定のタイムスロットからデータ信号を抽出して多重分離を行う多重化／多重分離部を備え、前記多重化／多重分離部は、伝送路からのデジタル受信信号を再び伝送路へ送り出すまでの間一時記憶する受信中継メモリと、端末装置から送り込まれる多重化のためのデジタル多重化信号を一時記憶する多重メモリと、前記多重メモリから読み出される内容を多重化フレーム上のタイムスロットのアドレス指定によって前記受信中継メモリから読み出される内容に入替える制御を行う信号を発生する多重メモリアドレス変換部と、前記受信中継メモリの内容と前記多重メモリの内容を前記多重メモリアドレス変換部からの制御に基ずいて切り替えるセレクタ部と、前記デジタル受信信号を多重分離するために一時記憶する分離メモリと、前記端末装置から送り込まれる多重化のためのデジタル多重化信号を一時記憶する局内交換メモリと、前記局内交換メモリから読み出される内容を多重化フレーム上のタイムスロットのアドレス指定によって前記分離メモリから読み出される内容に入替える制御を行う信号を発生する分離メモリアドレス変換部と、前記分離メモリの内容と前記局内交換メモリの内容を前記分離メモリアドレス変換部からの制御に基ずいて切り替えるセレクタとを備え、タイムスロットをデジタル符号化された映像信号に必要な容量毎の映像チヤネルに分割した内容を多重メモリアドレス変換部、および、分離メモリアドレス変換部に対応させて設定するとともに、映像選択信号のタイムスロットおよび他の通信用途のタイムスロットをも設定し、映像選択指示装置からは前記映像チヤネルの番号を指定可能とすることで、映像選択信号による映像要求に基づき所望の撮像手段による映像を所望の表示手段に表示させるようにしたことを特徴とするものである。
【００２３】
【発明の実施の形態】
実施の形態１．
この発明による実施の形態１を図１ないし図６について説明する。図１は実施の形態１に係るデータ伝送装置の構成を示すブロック図である。図２は実施の形態１に係わるデータ伝送装置のノード装置の構成を示すブロック図である。図３は実施の形態１に係るノード装置に収容した端末装置の伝送信号のタイムスロット割り付け例を示す説明図である。図４は実施の形態１に係る映像信号のデジタル復号化装置に接続する端末回線インタフエースの構成を示すブロック図である。図５は実施の形態に係る映像信号のデジタル符号化装置に接続する端末回線インタフエースの構成を示すブロック図である。図６はこの発明に係る映像選択信号フォーマットを示す説明図である。
【００２４】
図１は、この発明に係るデータ伝送装置の構成図である。図において、２はノード装置（Ｎｌ〜Ｎ６）、３はこれらノード装置２に各々接続された端末装置、９２は映像信号のデジタル符号化装置、９３はカメラ、９４は映像信号のデジタル復号化装置、９６はテレビモニタ、９７１は映像選択指示装置、１は反時計方向の光伝送路を構成する０系伝送路１０と、時計方向の光伝送路を構成する１系伝送路１１とからなる伝送路である。また、伝送路１では、先に説明したＳＤＨ方式にかかるフレーム構造を有するＳＴＭ−１相当の広帯域デジタル信号の伝送が行われている。
【００２５】
図２は、上記データ伝送装置のノード装置２の構成図である。ここで、各ノード装置２はともに同じ構成になっている。２０ａはＡ系ＳＴＭ−１終端部、２０ｂはＢ系ＳＴＭ−１終端部で、それぞれ光伝送路１０，１１からの光信号を電気信号に変換する光／電気変換部２１１、電気信号を光信号に変換して光伝送路へ送り出す電気／光変換部２１２、ＳＴＭ−１終端部２２から構成される。
【００２６】
このデータ伝送装置では、０系伝送路１０からの光信号はＡ系ＳＴＭ−１終端部２０ａに入力され、Ａ系ＳＴＭ−１終端部２０ａから出力された光信号は、１系伝送路１１に送り出される。また、１系伝送路１１からの光信号は、Ｂ系ＳＴＭ−１終端部２０ｂへ入力され、Ｂ系ＳＴＭ−１終端部２０ｂから出力した光信号は０系伝送路１０へ送り出される。
【００２７】
０系伝送路１０から入力された光信号はＡ系ＳＴＭ−１終端部２０ａにおいて、また１系伝送路１１から入力された光信号はＢ系ＳＴＭ−１終端部２０ｂにおいて、それぞれの光／電気変換部２１１でシリアルな電気信号に変換された後、それぞれのＳＴＭ−１終端部２２でＳＯＨ部分（セクションオーバヘッド部分）が取り除かれ、系選択回路部２３へ出力される。
【００２８】
２３は上記Ａ系とＢ系の選択を行う系選択回路部、２４１は多重化フレーム上の所定のタイムスロットヘデータ信号を多重化し、あるいは多重化フレーム上の所定のタイムスロットからデータ信号を抽出して多重分離を行う多重分離化を行う多重化／多重分離部、２６は多重化／多重分離部と回線インタフエース部との間の信号のやり取りを行う多重／分離バスである。２５１はノード装置２と端末装置３との間のインタフエースをとる端末回線インタフエース部、３は端末装置である。２７はノード管理バス２８を介してノード内の各回路と接続し各回路が所望の動作を行うようデータを設定したり監視を行うノード管理プロセッサー部である。
【００２９】
通常は系選択回路部２３は０系伝送路１０側から信号を選択して、多重化／多重分離部２４１へ出力する。また多重化／多重分離部２４１から出力された信号は系選択回路部２３へ出力される。通常は系選択回路部２３では多重化／多重分離部２４１からの信号をＢ系ＳＴＭ−１終端部２０ｂへ出力し、Ｂ系ＳＴＭ−１終端部２０ｂでＳＯＨを付加した後、電気／光変換部２１２に出力し光信号に変換後、０系伝送路１０へ送出される。また、多重化／多重分離部２４１は多重／分離バス２６を制御して、複数の端末回線インタフエース部２５１を介してそれぞれの端末装置３との間の接続を行っている。具体的には、各端末回線インタフエース部２５１に付された固有のポート番号と、多重／分離バス２６の入出力信号に付された固有のポートｌＤとにより、多重分離バス２６上の信号と端末回線インタフエース部２５１との対応関係を特定し信号の受け渡しを制御するようにしている。
【００３０】
また、このデータ伝送装置で扱われる光信号の多重化フレーム構造は、ＳＤＨの基本構造であるＳＴＭ−１に相当する構造となっている。ＳＴＭ−１のフレーム構造は、図２９に示す従来のものと同一のため省略する。
【００３１】
図３は、端末装置の間の伝送信号のＳＴＭ−１フレームのペイロードであるＶＣ４のＰＯＨを除くタイムスロットヘ割付（マッピング）した例を示す。デジタル映像信号の伝送用として映像＃１、映像＃２の２つの領域を割り当てた例であるＤ映像信号のデジタル符号化方式としては、ＭＰＥＧｌ，ＭＰＥＧ２，ＭＰＥＧ４等が用いられるが、ここでは動画像の映像をデジタル符号化するのに適したＭＰＥＧ２を例にしており、１つの映像当たりの割当タイムスロット数は９６タイムスロットとし、２つの映像伝送分で１９２タイムスロットの割当となる。そして、映像伝送用タイムスロットの次に映像選択信号用のタイムスロットを１タイムスロット割り当てている。図中の映像信号および映像選択信号以外のタイムスロットは他の端末装置３の伝送用に自由に割り当て可能である。
【００３２】
図４は、ノード装置Ｎｌに接続している映像信号のデジタル復号化装置ＤＥＣｌおよびＤＥＣ２ヘデジタル映像信号を出力する端末回線インタフェーイス部の構成例であり、２５２１はノード管理プロセッサ２７からノード管理バス２８を介して映像信号チヤネルや映像選択信号チヤネルの設定を制御するノード管理バス制御部、２５２２は多重分離バス２６を介してデジタル映像信号、映像選択信号の入出力を制御する多重分離バス制御郡、２５２３は映像信号チヤネル設定部部２５２２からのデジタル映像信号を入力し外部の映像信号のデジタル復号化装置９４へ出力するデコーダインタフエース部、２５２６は外部の映像選択信号指示装置９７１からの選択信号を入力し、多重分離バス制御部２５２２へ出力する映像選択信号インタフエース部である。
【００３３】
図５は、ノード装置Ｎ２〜Ｎ６に接続している映像信号のデジタル符号化装置ＥＮＣｌ〜ＥＮＣ５からのデジタル映像信号を入力する端末回線インタフエース部の構成例であり、２５３１はノード管理バス制御部、２５３２は多重分離バス２６を介してデジタル映像信号、映像選択信号の入出力を制御する多重分離バス制御部、２５３３は多重分離バス制御部２５３２からの映像選択信号を受信しデジタル映像信号の多重分離バス制御部への出力を制御する映像選択信号受信部、２５３４は外部の映像信号のデジタル符号化装置９２からのデジタル映像を入力し、多重分離バス制御部２５２２へ出力するエンコーダインタフエース部、２５３５はカメラＮｏ設定部、２５３６は映像選択信号チヤネル設定部である。
【００３４】
図６は、映像選択指示装置９７１とノード装置Ｎｌとの間でやり取りされる映像選択信号のフォーマットを示したものであり、ノード装置Ｎｌの端末回線インタフエース部２５２へ入力されたこの信号は、関連する全てのノード装置図１の例ではＮ２〜Ｎ６の端末回線インタフエース部２５３および、Ｎｌの端末回線インタフエース部２５２へ伝送される。
【００３５】
次に、映像選択の具体的な動作を各図を用いて説明する。
図１に示されるノード装置Ｎｌに接続している映像信号のデジタル復号化装置ＤＥＣｌおよびＤＥＣ２に対応する端末回線インタフエースは図４の構成であり、各ノード装置Ｎ２〜Ｎ６に各々接続している映像信号のデジタル復号化装置ＥＮＣｌ〜ＥＮＣ５に対応する端末回線インタフエースは図５の構成を具備している。
そして、図３に示すように、デジタル映像信号の伝送用として映像＃１，映像＃２の２つの領域を割り当てているものとする。
そして、デジタル復号化装置ＤＥＣに対応する端末回線インタフエースは、映像信号チャネル設定部２５２４に対して図３の映像＃１が、デジタル復号化装置ＤＥＣ２に対応する端末回線インタフエースは、映像信号チャネル設定部２５２４に対して図３の映像＃２が、設定されているものとする。
また、ノード装置Ｎ２にデジタル符号化装置ＥＮＣ１を介して接続されたカメラをカメラＮｏｌ、ノード装置Ｎ３にデジタル符号化装置ＥＮＣ２を介して接続されたカメラをカメラＮｏ２、以下同様に、ノード装置Ｎ６にデジタル符号化装置ＥＮＣ５を介して接続されたカメラをカメラＮｏ５とするものである。
【００３６】
図１のノード装置Ｎ１に接続されている映像選択指示装置９７１はどれか１つの端末回線インタフェースに接続しており、図６のフォーマットに従い映像選択信号を出力する。
例えば、ＤＥＣｌに接続されたモニタにカメラＮｏｌの映像を出力したい場合、図６のフォーマット中の映像チヤネルＮｏｌへ出力するカメラＮｏを「１」とし他の映像チヤネルＮｏ２へ出力するカメラＮｏから映像チヤネルＮｏ２１へ出力するカメラＮｏの箇所を「２５５」として出力する。このフォーマットを入力したノード装置Ｎｌの端末回線インタフェース２５２では、図４の映像選択信号インタフェース部２５２６で内容を解読するとともに、多重分離バス制御部を介して多重分離バスへ出力する。この映像選択信号は、図２の多重化／多重分離部２４１により、図３で示す所定のタイムスロットへマッピングされる。そして、系選択回路部２３及びＳＴＭ−１終端部２０ａおよび２０ｂを介して０系伝送路、１系伝送路へ出力される。
【００３７】
一方、ノード装置Ｎ２〜Ｎ６では多重分離／多重分離部２４１で映像選択信号のタイムスロットが分離され多重分離バス２６を介して、端末回線インタフエースヘ出力される。映像信号のデジタル符号化装置に接続されている端末回線インタフエース部では、図５に示す多重分離バス制御部２５３２からの入力信号と、映像選択信号チヤネル設定部２５３６の設定値より映像選択信号が抽出され、映像選択信号受信部２５３３へ渡される。
映像選択信号受信部２５３３では、受信する映像選択信号のフォーマットを解読し、カメラＮｏ設定部に予め設定されたカメラＮｏが指示されるか否かを解析する。上述の例では、映像チヤネルＮｏｌのカメラＮｏが１であるため、ノード装置Ｎ２の端末回線インタフエースは映像＃１のタイムスロットに映像信号を多重するように動作する。即ちノード装置Ｎ２の端末回線インタフエース部は接続されている映像信号のデジタル符号化装置の出力する映像信号を図５のエンコーダインタフエース部２５３４から多重分離バス制御部２５３２へ渡し、多重分離バス２６を介して多量化／多重分離部２４１へ入力される。この映像信号は、図２の多重化／多重分離部２４１により、図３で示す所定のタイムスロットヘマッピングされる。そして、系選択回路部２３及びＳＴＭ−１終端部２０ａおよび２０ｂを介して０系伝送路、１系伝送路へ出力される。
【００３８】
次に、ノード装置Ｎｌでは多重分離／多重分離部２４１で映像信号のタイムスロットが分離され多重分離バス２６を介して、端末回線インタフエースヘ出力される。端末回線インタフエース部では、図５に示す多重分離バス制御部２５２２にて映像信号が抽出され、デコーダインタフエース部２５２５へ渡された後、外部の映像信号のデジタル復号化装置ＤＥＣｌへ出力される。
【００３９】
また、図６のフォーマット中の映像チヤネルＮｏｌへ出力するカメラＮｏを「４」、映像チヤネルＮｏ２へ出力するカメラＮｏを「５」とし他の映像チヤネルＮｏ３へ出力するカメラＮｏから映像チヤネルＮｏ２１へ出力するカメラＮｏの箇所を「２５５」として出力した場合は、上述した動作と同様にして、ノード装置外部の映像信号のデジタル復号化装置ＤＥＣｌへはカメラＮｏ４、映像信号のデジタル復号化装置ＤＥＣ２へはカメラＮｏ５の映像信号が出力される。
【００４０】
以上のようにしてデジタル信号のままカメラ映像の選択伝送が可能となり、デジタル復号化装置の後にマトリックススイッチ等のアナログ式の選択装置を接続する必要が無くなり、システムを経済的に構築することが可能となる。
また、必要な映像信号のみを選択伝送することが可能になるため、データ伝送装置で扱える最大伝送容量を遥かに超えた映像端末装置を接続することが可能になり、大規模・大容量のデータ伝送装置を設けなくても良くなり、結果的に経済的に実現することができる。
【００４１】
この発明による実施の形態１によれば、デジタル化多重信号を所定方向に伝送する第１の伝送路１０と所定方向とは反対方向に伝送する第２の伝送路１１とからなるループ状の伝送路と、前記ループ状の伝送路を介して相互に信号のやり取りを行う複数の端末装置３と、前記伝送路の途中に配置され、前記伝送路に伝送される信号のうち、所定のタイムスロットの信号を抽出して多重分離し前記端末装置３に向けて送り出し、または、前記端末装置３からの信号を取り込んで多重化し、前記伝送路へ送り出すノード装置２とからなるデータ伝送装置において、前記伝送路から受信する信号から該当する映像チヤネルのデータをデジタル復号化装置ＤＥＣ９４へ出力するとともに映像選択信号を前記伝送路を介して必要なノード装置２に伝送する第１の端末回線インタフエース２５２、および、伝送路からの映像選択信号を受信し映像選択信号に応じて該当するノード装置２において所定の映像チヤネルヘ所定のカメラ９３からなる撮像手段によるデジタル映像を出力する第２の端末回線インタフエース２５３を備え、映像選択信号による映像要求に基づき所望のカメラからなる撮像手段による映像を所望の表示手段に表示させるようにしたので、デジタル符号化された映像信号についての選択の自由度を適切に向上できるデータ伝送装置を得ることができる。
【００４２】
実施の形態２．
この発明による実施の形態２を図７ないし図１１について説明する。図７は多重化／分離部の構成を示すブロック図である。図８は多重化／分離部における多重メモリアドレス変換部の構造を示す説明図である。図９は多重化／分離部における分離メモリアドレス変換部の構造を示す説明図である。図１０は実施の形態２における多重化／分離部の多重メモリアドレス変換部についての設定例を示す説明図である。図１１は実施の形態２における多重化／分離部の分離メモリアドレス変換部についての設定例を示す説明図である。
この実施の形態２において、ここで説明する特有の構成以外の構成については、先に説明した実施の形態１における構成と同様の構成を有し、同様の作用を奏するものである。図中、同一符号は同一または相当部分を示す。
【００４３】
この発明に係るデータ伝送装置の実施の形態２に係る多重化／多重分離部の詳細について説明する。実施の形態２は、実施の形態１における多重化／多重分離部２４を具体化したものの一つである。したがって、以下では多重化／多量分離部２４の構成とその関連事項に主眼を置いて説明する。
【００４４】
図７は多重化／多重分離部２４の構成図である。
図において、２４０１は系選択回路部２３から入力したデータを中継して再度系選択回路部２３へ出力する迄の間一時的に保持する受信中継メモリ、２４０２は系選択回路２３から入力したデータを多重／分離バス２６へ出力するまでの間一時的に保持する分離メモリで、２４０３は受信中継メモリ２４０１および分離メモリ２４０２へのデータ書き込み制御を行うライト制御部、２４０４は多重／分離バス２６から入力したデータを系選択回路部２３へ出力するまでの間一時的に保持する多重メモリ、２４０５は多重／分離バス２６から入力したデータを再度多重／分離バス２６へ出力するまでの聞一時的に保持する局内交換メモリ、２４０６は多重メモリ２４０４および局内交換メモリ２４０５へのデータ書き込みを制御するライト制御部、２４０７は受信中継メモリ２４０１または多重メモリ２４０４Ａからデータを読み出すときのアドレス信号を生成するリード制御部、２４０８はリード制御部２４０７から出力される信号を予め設定されたアドレスに変換する多重メモリアドレス変換部、２４０９は受信中継メモリ２４０１のリードデータと多重メモリ２４０４のリードデータを選択するセレクタ部、２４１０は分離メモリ２４０２または局内交換メモリ２４０５からデータを読み出すときの基準信号等を生成するリード制御部、２４１１はリード制御部２４１０Ａから出力される信号を予め設定されたアドレスに変換するための分離メモリアドレス変換部、２４１２は分離メモリ２４０２のリードデータと局内交換メモリ２４０５のリードデータを選択するセレタタ部、２４１３は多重／分離バス２６の基準信号および制御信号の生成を行う多重分離バス制御部である。
【００４５】
また、多重メモリアドレス変換部２４０８の構造を図８に示す。
図８において、アドレスと記載されたもの（０００〜２０７９）は、多重アドレス変換部２４０８のアドレスを示し、ＳＴＭ−１フレームのペイロードであるＶＣ４のＰＯＨを除くタイムスロット番号に対応する。ビットＤ１２は多重／中継ビットである。このＤ１２のビットが、"１"か"０"かにより、図７のセレタタ部２４０９に於いて選択する信号が決定され、"１"の場合には多重メモリ２４０４からのリードデータを選択し、"０"の場合は受信中継メモリ２４０１からのリードデータを選択するようになっている。Ｄｌ〜Ｄｌｌには多重メモリ２４０４のリードアドレス（Ａｌ〜Ａｌｌ）が設定される。
【００４６】
分離メモリアドレス変換部２４１１は、リード制御部２４１０から出力される基準信号をもとに、分離メモリ２４０２および局内交換メモリ２４０５のリードアドレスを作成する機能を有しており、ＲＯＭや、２ポートメモリで構成される。
本例では２ポートメモリを用いており、ノード管理バス２８を介して内部データを設定変更することが可能になっている。
【００４７】
分離メモリアドレス変換部２４１１の構造を図９に示す。
図９において、アドレスと記載されたもの（０００〜２０７９）は分離メモリアドレス変換部２４１１のアドレスを示し、多重／分離バス２６のアドレスに対応する。ビットＤ１６は局内／分離ビットであり、このＤ１６のビットが"１"か"０"かにより、図７のセレクタ部２４１２によって選択される信号が決定され、"１"の場合には局内交換メモリ２４０５からのリードデータを選択し、"０"の場合は分離メモリ２４０２のリードデータを選択する。
Ｄ１１〜Ｄ０には分離メモリ２４０２または局内交換メモリ２４０５からのリードアドレス（Ａ１１〜Ａ０）が設定される。また、Ｄ１７〜Ｄ２３はポートＩＤであり、多重分離バス２６を介して入出力するデータに対応する端末回線インタフエース部のポート番号が設定される。
【００４８】
次に、図７，図８，図９に基づき動作について説明する。
系選択回路部２３から入力される信号は連続する複数のタイムスロットからなり、０のデータスロットに始まり２３３９スロットを最後とする２３４０個のタイムスロットが順番に入力され、ライト制御部２４０３によって制御されて受信中継メモリ２４０１および分離メモリ２４０２へ順番に書き込まれる。
【００４９】
多重分離バス制御部２４１３は、多重／分離バス２６を介して、端末回線インタフエース部２５と入出力をするために必要な基準信号を生成しており、多重分離バス２６から入力される信号も、複数の連続するタイムスロットデータの構造を有する。そしてライト制御部２４０６によって制御されて多重メモリ２４０４Ａおよび局内交換メモリ２４０５へ順番に書き込まれる。
【００５０】
リード制御部２４０７はライト制御部２４０３の書き込み動作から少し遅れた位相でリードアドレスを生成する。このリードアドレスにもとづいて、受信中継メモリ２４０１にすでに書き込まれているデータが順番に読み出される。多重メモリアドレス変換部２４０８ではリード制御部２４０７からのリードアドレスにもとづいて多重メモリ２４０４のリードアドレスを生成し、このリードアドレスによって多重メモリ２４０４にすでに書き込まれているデータを読み出す。
受信中継メモリ２４０１および多重メモリ２４０４から読み出されたデータはセレタタ２４０９で選択された後、系選択回路部２３へ出力される。この時、セレタタ部２４０９における選択は多重メモリアドレス変換部２４０８からの多重／中継ビットにもとづいて行われる。セレクタ部２４０９から系選択回路部２３へ出力されるデータは、スロット０に始まり、スロット２３３９を最後とする２３４０個のタイムスロットが順番に出力される。以上のように動作しているので、系選択回路部２３へ出力するタイムスロットデータは、系選択回路部２３から入力したタイムスロットデータと多重／分離バス２６から入力したデータとの間で１タイムスロットの単位で入替えが可能である。
【００５１】
また、リード制御部２４１０はライト制御部２４０６の書き込み動作から少し遅れた位相で基準信号を生成する。分離メモリアドレス変換部２４１１では、リード制御部２４１０からの基準信号にもとづいて分離メモリ２４０２および局内交換メモリ２４０５のリードアドレスを生成する。このリードアドレスにもとづいて、分離メモリ２４０２および局内交換メモリ２４０５にすでに書き込まれているデータが読み出される。分離メモリ２４０２および局内交換メモリ２４０５から読み出されたデータはセレタタ部２４１２で選択され、多重／分離バス２６へ出力される。この時セレタタ部２４１２では分離メモリアドレス変換部２４１１からの局内／分離ビット（図９参照）にもとづいて分離メモリ２４０２からのデータと局内交換メモリ２４０５からのデータの選択が行われる。セレクタ部２４１２から出力するデータは複数の連続するタイムスロットデータの構造を有している。
以上のようにして、多重／分離バス２６へ出力するデータは系選択回路部２３から入力したタイムスロットのデータと多重／分離バス２６から入力したデータとの間で１タイムスロット単位での入替えが可能である。
【００５２】
また、分離メモリアドレス変換部２４１１からは、多重分離バス２６を介して入出力するデータに対応する端末回線インタフエース部２５のポート番号が出力される。
端末回線インタフエース部２５では多重分離バス２６上で固有のポート番号が予め設定されており、このポート番号が一致した回線のデータが多重分離バス２６を介して入出力される。
【００５３】
以上説明したように、伝送路からの受信信号と端末回線インタフエース部を経て端末装置からの信号とを保持する各メモリと、これらタイムスロット毎のデータを相互に入れ替えるための多重メモリアドレス変換部、分離メモリアドレス変換部およびセレタタを設けた構成としたので、１タイムスロット毎のデータの入替えが可能である。つまり、６４Ｋｂ／ｓを最小単位とするデータの入替えが可能である。
【００５４】
次に、図１０，図１１は、実施の形態１の映像の選択伝送を行う場合、実施の形態２に係る多重化／多重分離部図７の多重メモリアドレス変換部２４０８と分離メモリアドレス変換部２４１１にどのような値を設定するかの一例を示したものである。図１０は、多重メモリアドレス変換部２４０８への設定を示し、図１１は、分離メモリアドレス変換部２４１１への設定を示している。また、この例では、図１のノードＮｌ〜Ｎ６に同じ設定を行う。
【００５５】
図３では、タイムスロット０〜９５を映像チヤネル＃１、タイムスロット９６〜１９１を映像チヤネル２、タイムスロット１９２を映像選択チヤネル、タイムスロット１９３〜２３３９を他の用途に割り当てた例を示しているが、図１０および図１１の設定例では、説明を簡単にするため、映像の選択伝送を行う場合を中心に設定内容とその動作を説明する。
【００５６】
まず、ノードＮｌのＤＥＣｌに接続された端末回線インタフエース（ＤＥＣ用）図４の映像信号チヤネル設定部２５２３へは０１が設定され、映像選択信号チヤネル設定部２５２４へは２２が設定される。
また、ノードＮｌのＤＥＣ２に接続された端末回線インタフエース（ＤＥＣ用）図４の映像信号チヤネル設定部２５２３へは０２が設定され、映像選択信号チヤネル設定部２５２４へは２２が設定される。
さらに、ノードＮ２〜Ｎ６のＥＮＣに接続された端末回線インタフエースくＥＮＣ用）図５の映像選択信号チヤネル設定部２５３６へは２２が設定される。
【００５７】
以上の設定により、以下の動作が可能となる。
図１に示すノードＮｌのＤＥＣ２に接続された端末回線インタフエース（ＤＥＣ用）は、多重分離バス２６からのポートｌＤを入力し、ポート量Ｄが２２の時すなわちタイムスロット１９２の時、映像選択指示装置９７１からの映像選択信号を多重分離バスヘ出力する。さらにポートＩＤが０２の時すなわちタイムスロット９６〜１９１の時、映像チヤネル♯２のデータを取り込み、デコーダインタフエース部２５２５を介して外部のＤＥＣ９４へ出力する。
図１におけるノードＮｌのＤＥＣｌに接続された端末回線インタフエース（ＤＥＣ用）は、多重分離バス２６からのポートｌＤを入力し、ポートｌＤが０１の時すなわちタイムスロット０〜９５の時、映像チヤネル＃１のデータを取り込み、デコーダインタフエース部２５２５を介して外部のＤＥＣ９４へ出力する。
図１におけるノードＮ２〜Ｎ６のＥＮＣに接続された端末回線インタフエース（ＥＮＣ用）はほぼ同様な動作を行う。多重分離バス２６からのポートｌＤを入力し、ポートｌＤが２２の時、すなわちタイムスロット１９２の時、映像選択信号を多重分離バスから取り込み図６による映像選択信号を解析し、映像選択信号フォーマット中のカメラＮｏとカメラＮｏ設定部２５３５に設定された値が同じ値である映像チャネルＮｏがある時、例えば前記映像チヤネルＮｏが１の時であれば、ポートＩＤが０１の時、すなわちタイムスロット０〜９５の時、エンコーダインタフエース部２５３４は、多重分離バス制御部２５３２を介して映像信号を出力する。
【００５８】
以上説明したように、多重化／多重分離部の多重メモリアドレス変換部２４０８および分離メモリアドレス変換部２４１１の設定と、端末回線インタフエースヘの各種設定を工夫することにより、映像選択伝送を容易に可能とし、同時に映像以外の信号を扱う場合には、６４Ｋｂ／ｓを最小単位とするデータの伝送が可能となる。
【００５９】
この発明による実施の形態２によれば、実施の形態１における構成において、前記ノード装置２は、多重化フレーム上の所定のタイムスロットへデータ信号を多重化し、あるいは、多重化フレーム上の所定のタイムスロットからデータ信号を抽出して多重分離を行う多重分離化を行う多重化／多重分離部２４を備え、前記多重化／多重分離部２４は、伝送路からのデジタル受信信号を再び伝送路へ送り出すまでの間一時記憶する受信中継メモリ２４０１と、端末装置から送り込まれる多重化のためのデジタル多重化信号を一時記憶する多重メモリ２４０４と、前記多重メモリ２４０４から読み出される内容を多重化フレーム上のタイムスロットのアドレス指定によって前記受信中継メモリ２４０１から読み出される内容に入替える制御を行う信号を発生する多重メモリアドレス変換部２４０８と、前記受信中継メモリ２４０１の内容と前記多重メモリ２４０４の内容を前記多重メモリアドレス変換部２４０８からの制御に基づいて切り替えるセレクタ部２４０９と、前記デジタル受信信号を多重分離するために一時記憶する分離メモリ２４０２と、前記端末装置３から送り込まれる多重化のためのデジタル多重化信号を一時記憶する局内交換メモリ２４０５と、前記局内交換メモリ２４０５から読み出される内容を多重化フレーム上のタイムスロットのアドレス指定によって前記分離メモリ２４０２から読み出される内容に入替える制御を行う信号を発生する分離メモリアドレス変換部２４１１と、前記分離メモリ２４０２の内容と前記局内交換メモリ２４０５の内容を前記分離メモリアドレス変換部２４１１からの制御に基づいて切り替えるセレクタ部２４１２とを備え、タイムスロットをデジタル符号化された映像信号に必要な容量毎の映像チヤネルに分割した内容を多重メモリアドレス変換部２４０８、および、分離メモリアドレス変換部２４１１に対応させて設定するとともに、映像選択信号のタイムスロットおよび他の通信用途のタイムスロットをも設定し、映像選択指示装置からは前記映像チヤネルの番号を指定可能とすることで、映像選択信号による映像要求に基づき所望のカメラからなる撮像手段による映像を所望の表示手段に表示させるようにしたので、デジタル符号化された映像信号についての選択の自由度を適切に向上できるとともに、映像選択伝送を容易に可能とし、映像信号以外の伝送をも可能とするデータ伝送装置を得ることができる。
【００６０】
実施の形態３．
この発明による実施の形態３を図１２について説明する。図１２は実施の形態３における端末回線インターフェイスの構成を示すブロック図である。
この実施の形態３において、ここで説明する特有の構成以外の構成については、先に説明した実施の形態１における構成と同様の構成を有し、同様の作用を奏するものである。図中、同一符号は同一または相当部分を示す。
【００６１】
この発明に係るデータ伝送装置の実施の形態３に係る端末回線インタフエースの構成案について説明する。
図１２において、２５４１はノード管理プロセッサ２７からノード管理バス２８を介して映像信号チヤネルや映像選択信号チすネル、カメラＮｏの設定を制御するノード管理バス制御部、２５４２は多重分離バス２６を介してデジタル映像信号、映像選択信号の入出力を制御する多重分離バス制御部、２５４３は映像信号チヤネル設定部、２５４４は映像選択信号チヤネル設定部、２５４５はカメラＮｏ設定部、２５４６は多重分離バス制御部２５４２からのデジタル映像信号を入力し外部の映像信号のデジタル復号化装置９４へ出力するデコーダインタフエース部、２５４７は外部の映像選択信号指示装置９７１からの選択信号を入力し、多重分離バス制御部２５４２へ出力する映像選択信号インタフエース部、２５４８は多重分離バス制御部２５４２からの映像選択信号を受信しデジタル映像信号の多重分離バス制御部への出力を制御する映像選択信号受信部、２５４９は外部の映像信号のデジタル符号化装置９２からのデジタル映像を入力し、多重分離バス制御部２５４２へ出力するエンコーダインタフエース部である。
【００６２】
次に、動作について説明する。なお、データ伝送装置の構成は図１、ノード装置の構成は図２、タイムスロット割り当ては図３、映像選択信号フォーマットは図６と同様であり、端末回線インタフエースの動作以外は、実施の形態１および２の場合と同様であるため説明を省略する。また、以下の説明では、ノードＮｌ〜Ｎ６の端末回線インタフエースとして、図１２の構成に示したものが全て使用されているものとする。
【００６３】
ノードＮｌのＤＥＣ２に接続された端末回線インタフエースは、多重分離バス２６からのポートＩＤを入力し、入力するポートＩＤが映像選択チヤネル設定部２５４４の設定値に一致した時、映像選択指示装置９７１からの映像選択信号を多重分離バス２６へ出力する。
また、入力するポートＩＤが映像信号チヤネル設定部２５４３の設定値に一致した時多重分離バス２６からの映像チヤネルのデ一夕を取り込み、デコーダインタフエース部２５４６を介して外部のＤＥＣ９４へ出力する。
ノードＮｌのＤＥＣｌに接続された端末回線インタフエースは、多重分離バス２６からのポートＩＤを入力し、入力するポートＩＤが映像信号チヤネル設定部２５４３の設定値に一致した時多重分離バス２６からの映像チヤネルのデータを取り込み、デコーダインタフエース部２５４８を介して外部のＤＥＣ９４へ出力する。
ノードＮ２〜Ｎ６のＥＮＣに接続された端末回線インタフエースは、多重分離バス２６からのポートＩＤを入力し、入力するポートｌＤが映像選択チヤネル設定部２５４４の設定値に一致した時、映像選択信号を多重分離バスから取り込み図６による映像選択信号を解析し、映像選択信号フォーマット中のカメラＮｏとカメラＮｏ設定部２５４５に設定された値が同じ値である映像チヤネルＮｏがある時、そのチヤネルに対応したポートＩＤを入力するとエンコーダインタフエース部２５３４は、多重分離バス制御部２５３２を介して映像信号を出力する。
【００６４】
以上説明したように、実施の形能３による端末回線インタフエースでは、ＤＥＣ接続用の端末回線インタフエースの機能とＥＮＣ接続用端末回線インタフエースの機能を１つにまとめたので、ＥＮＣ接続時とＤＥＣ接続時で用意するものを変える必要が無く、また機能的に共通箇所が多いため価格上昇もさほど無く、取り扱いが容易な装置を提供できる。
【００６５】
この発明による実施の形態３によれば、実施の形態１における構成において、前記伝送路から受信する信号から該当する映像チヤネルのデータをデジタル復号化装置９４へ出力するとともに映像選択信号を前記伝送路を介して必要なノード装置２に伝送する機能と、前記伝送路からの映像選択信号を受信し映像選択信号に応じて該当するノード装置２における所定の映像チヤネルヘ所定のカメラからなる撮像手段によるデジタル映像を出力する機能とを合わせ持った、専用の端末回線インタフエース２５４を備えたので、デジタル符号化された映像信号についての選択の自由度を適切に向上できるとともに、端末回線インタフエースを共通化して、取り扱い等の実用性能を向上できるデータ伝送装置を得ることができる。
【００６６】
実施の形態４．
この発明による実施の形態４を図１３ないし図１５について説明する。図１３は実施の形態４におけるデータ伝送装置の構成を示すブロック図である。図１４は実施の形態４におけるノード装置に収容した端末装置の伝送信号のタイムスロット割り付け例を示す説明図である。図１５は実施の形態４における映像信号のデジタル符号化装置に接続する端末回線インターフェイスの構成を示すブロック図である。
この実施の形態４において、ここで説明する特有の構成以外の構成については、先に説明した実施の形態１における構成と同様の構成を有し、同様の作用を奏するものである。図中、同一符号は同一または相当部分を示す。
【００６７】
この発明に係るデータ伝送装置の実施の形態４に係るデータ伝送装置について説明する。
複数のカメラ映像を伝送しモニタでその映像を表示させるシステムでは、映像を表示させる場所が異なる場所に点在するシステムが多い。実施の形態４では、映像選択の自由度を改善し、異なる場所のモニタで自由にカメラ映像が表示できるようにしたものである。
【００６８】
図１３は、実施の形態４に係わるデータ伝送装置の構成図であり、図１に対してノードＮ２に映像信号のデジタル復号化装置９４とモニタ９６が追加された構成となっている。
【００６９】
図１４は端末装置の間の伝送信号をＳＴＭ−１フレームのペイロードであるＶＣ４のＰＯＨを除くタイムスロットヘ割付（マッピング）した例を示す。デジタル映像信号の伝送用として映像＃１，映像＃２，映像＃３の３つの領域を割り当てた例である。１つの映像当たりの割当タイムスロット数は９６タイムスロットとし、３つの映像伝送分で２８８タイムスロットの割当となる。そして、映像伝送用タイムスロットの次に映像選択信号用のタイムスロットを１タイムスロット割り当てている。図中の映像信号および映像選択信号以外のタイムスロットは他の端末装置３の伝送用に自由に割り当て可能である。
【００７０】
図１５は、ノード装置Ｎ３〜Ｎ６に接続している映像信号のデジタル符号化装置ＥＮＣ２〜ＥＮＣ５からのデジタル映像信号を入力する端末回線インタフエース部の構成例であり、２５５３は多重分離バス制御部２５３２からの映像選択信号を受信し、２面ある一時保持メモリを制御しデジタル映像信号の多重分離バス制御部への出力を制御する映像選択信号受信部、２５５４は外部の映像信号のデジタル符号化装置９２からのデジタル映像を入力し、９６バイト毎に一時保持メモリヘ映像データを出力するエンコーダインタフエース部、２５５６は、エンコーダインタフエース部２５５４からの映像データを９６バイト単位で書込み、映像選択信号受信部２５５３からの制御によリ９６バイト単位で読み出し、読み出した映像データを多重分離バス制御部２５３２へ出力する一時保持メモリである。一時保持メモリは＃１，＃２の２面あり例えば一時保持メモリ＃１から読み出し中は、一時保持メモリ＃２へ書き込みを行うといった具合に、１２５μ周期で書き込みと読み出しを交互に切り替えて使用される。他の図５と同様の符号は同一の名称を表すものとする。
【００７１】
次に、映像選択の具体的な動作を各図を用いて説明する。なお、以下の説明ではデータ伝送装置のノードＮｌ，Ｎ２のデジタル復号化装置９４と接続する端末回線インタフエースは図４によるもの、ノードＮ３〜Ｎ６のデジタル符号化装置９２と接続する端末回線インタフエースは図１６、映像選択信号フォーマットは図６に示したものを使用するものとする。
【００７２】
まず、図１５に示すように、デジタル映像信号の伝送用として映像＃１、映像＃２、映像＃３の３つの領域を割り当てており、デジタル復号化装置ＤＥＣｌに対応する端末回線インタフエースは、映像信号チャネル設定部２５２４に対して映像＃１が、デジタル復号化装置ＤＥＣ２に対応する端末回線インタフエースは、映像信号チャネル設定部２５２４に対して映像＃２が、デジタル復号化装置ＤＥＣ３に対応する端末回線インタフエースは、映像信号チャネル設定部２５２４に対して映像＃３が設定されているものとする。また、ノード装置Ｎ３にデジタル符号化装置を介して接続されたカメラをカメラＮｏ２、ノード装置Ｎ４にデジタル符号化装置を介して接続されたカメラをカメラＮｏ３、以下同様に、ノード装置Ｎ６にデジタル符号化装置を介して接続されたカメラをカメラＮｏ５である。
【００７３】
図１４のノード装置Ｎｌに接続されている映像選択指示装置３７１はどれか１つの端末回線インタフエースに接続しており、図６のフォーマットに従い映像選択信号を出力する。例えばＤＥＣｌに接続されたモニタにカメラＮｏ２の映像を、ＤＥＣ２に接続されたモニタにカメラＮｏ３の映像を、ＤＥＣ３に接続されたモニタにカメラＮｏ２の映像を出力したい場合、図６のフォーマット中の映像チヤネルＮｏｌへ出力するカメラＮｏを「２」、映像チヤネルＮｏ２へ出力するカメラＮｏを「３」、映像チヤネルＮｏ３へ出力するカメラＮｏを「２」とし、他の映像チヤネルＮｏ４へ出力するカメラＮｏから映像チヤネルＮｏ２１へ出力するカメラＮｏの箇所を「２５５」として出力する。このフォーマットを入力したノード装置Ｎｌの端末回線インタフエース２５２では、図４の映像選択信号インタフエース部２５２６で内容を解読するとともに，多重分離バス制御部を介して多重分離バスヘ出力する。
【００７４】
多重分離バスヘ出力されたデータを所定のタイムスロットヘマッピングして０系伝送路、１系伝送路へ出力する動作および０系伝送路、１系伝送路から入力した信号からタイムスロットを分離し多重分離バスヘ渡す動作は、実施の形態１の場合と同様のため説明を省略する。
【００７５】
一方、ノード装置Ｎ３〜Ｎ６では多重分離／多重分離部２４１で映像選択信号のタイムスロットが分離され多重分離バス２６を介して、端末回線インタフエースへ出力される。端末回線インタフエース部では、国１６に示す多重分離バス制御部２５３２からの入力信号と、映像選択信号チヤネル設定部２５３６の設定値より映像選択信号が抽出され、映像選択信号受信部２５５３へ渡される。映像選択信号受信部２５５３では、受信する映像選択信号のフォーマットを解読し、カメラＮｏ設定部に予め設定されたカメラＮｏが指示されるか否かを解析する。
上述の例では、映像チヤネルＮｏｌのカメラＮｏが２であるため、ノード装置Ｎ３の端末回線インタフエースは映像＃１のタイムスロットに映像信号を多重するように動作する。
また、映像チヤネルＮｏ２のカメラＮｏが３であるため、ノード装置Ｎ４の端末回線インタフエースは映像＃２のタイムスロットに映像信号を多重するように動作する。
さらに、映像チヤネルＮｏ３のカメラＮｏが２であるため、ノード装置Ｎ３の端末回線インタフエースは映像＃１のタイムスロットと映像＃３のタイムスロットに映像信号を多重するように動作する。
【００７６】
ここで、ノード装置Ｎ３の端末回線インタフエースでは、エンコーダインタフエース部２５５４から書き込まれるデータを２面の一時保持メモリ２５５６で１２５μＳ毎に保持している。この機能により、映像選択信号で複数の映像チャネルに映像信号を多重するように指示された場合、１２５μＳの期間内では常に同じ一時保持メモリ内のデータを読み出すことが可能であり、複数のチヤネルへ同じ映像データを多重する。
【００７７】
次に、ノード装置ＮｌおよびＮ２では多重分離／多重分離部２４１で映像信号のタイムスロットが分離され多重分離バス２６を介して、端末回線インタフエースヘ出力される。端末回線インタフエース部では、図５に示す多重分離バス制御部２５２２にて映像信号が抽出され、デコーダインタフエース部２５２５へ渡される。
そして、ＤＥＣｌとＤＥＣ３はカメラＮｏ２の映像を、ＤＥＣ２はカメラＮｏ３の映像を入力し、各々接続されたモニタで所望の映像が出力される。
【００７８】
以上のようにして実施の形態４では、映像を表示させる場所が異なる場所に点在するシステムでも、映像選択が自由に行われ異なる場所のモニタにカメテ映像が表示できるようになりシステムの構築が容易になる。
なお、上記説明ではカメラＮｏ２の映像データがＤＥＣｌ，ＤＥＣ３から出力される例を示したが、この実施の形態による構成によれば、データ伝送装置の伝送容量から可能となる映像チャネルの最大まで、同じカメラ映像を分配することが可能となる。
【００７９】
この発明による実施の形態４によれば、実施の形態１における構成において、伝送路からの映像選択信号を受信して映像選択信号に応じて該当するノード装置における所定の映像チヤネルヘ所定のカメラからなる撮像手段によるデジタル映像を出力する機能を有するとともに、保持メモリ２５５５，２５５６を有して１２５μＳ周期で映像データを更新し、１２５μＳ期間中は同じ映像データを複数の映像チヤネルへ配信可能とした端末回線インタフエース２５５を備え、複数のノード装置に隣接されている異なる場所の表示手段ヘ任意にカメラからなる撮像手段による映像が表示できるようにしたので、デジタル符号化された映像信号についての選択の自由度を適切に向上できるとともに、映像の表示場所を任意の領域に拡大できるデータ伝送装置を得ることができる。
【００８０】
実施の形態５．
この発明による実施の形態５を図１６について説明する。図１６は実施の形態５におけるデータ伝送装置の構成を示すブロック図である。この実施の形態５において、ここで説明する特有の構成以外の構成については、先に説明した実施の形態１における構成と同様の構成を有し、同様の作用を奏するものである。図中、同一符号は同一または相当部分を示す。
【００８１】
この発明に係るデータ伝送装置の実施の形態５に係るデータ伝送装置について説明する。
複数のカメラ映像を伝送しモニタでその映像を表示させるシステムでは、映像を表示させる場所が異なる場所に点在し且つ、モニタに表示させる場合の指示を各々別の場所で個別に行うシステムが多い。実施の形態５では、映像選択の自由度を改善し、異なる場所のモニタに表示するカメラ映像を各々の場所で個別に選択できるようにしたものである。
【００８２】
図１６は、実施の形態５に係わるデータ伝送装置の構成図であり、図１３に対してノードＮ２に映像選択指示装置（サブ）９７２、ノードＮｌに映像選択表示装置（マスタ）９７３が接続された構成となっており、他の図１３と同様の符号は、同一の名称を表すものとする。
図１６において、映像選択指示装置（マスタ）９７３は、ノードＮｌの端末回線インタフエースと接続されており、２本ある内の１つは、図４によるものに接続し、もう一つはデジタル信号を扱う汎用の端末回線インタフエースに接続されている。映像選択指示装置（サブ）９７２は、デジタル信号を扱う汎用の端末回線インタフエースにのみ接続されている。ノードＮｌとＮ２の汎用の端末回線インタフエース同士は１：１に対向設定が成されており双方での通信が可能である。
【００８３】
次に、映像選択の具体的な動作を各図を用いて説明する。なお、以下の説明ではデータ伝送装置のノードＮｌ，Ｎ２のデジタル復号化装置９４と接続する端末回線インタフエースは図４によるもの、ノードＮ３〜Ｎ６のデジタル符号化装置９２と接続する端末回線インタフエースは図１５、映像選択信号フォーマットは図６に示したものを使用するものとする。また、映像チヤネルの割り当て、端末回線インタフエース部への各種設定は、実施の形態４と同じ場合について説明する。
【００８４】
映像選択指示装置（サブ）９７２は隣接するモニタ９６に表示したい映像例えばカメラＮｏ２を汎用の端末回線インタフエースを用いて、映像選択指示装置くマスタ）９７３へ送信する。
映像選択指示装置（マスタ）９７３は、映像選択指示装置（サブ）９７２からの要求を受け、映像チヤネルＮｏ１にはカメラＮｏ２の映像を指示する。さらに、映像選択指示装置（マスタ）９７３に隣接するモニタ９６に表示したい映像例えばカメラＮｏ２、Ｎｏ．３が有る場合、これらを合わせて指示する。すなわち、映像選択信号フォーマット中の映像チヤネルＮｏｌへ出力するカメラＮｏを「２」、映像チヤネルＮｏ２へ出力するカメラＮｏを「３」、映像チヤネルＮｏ３へ出力するカメラＮｏを「２」とし、他の映像チヤネルＮｏ４へ出力するカメラＮｏから映像チヤネルＮｏ２１へ出力するカメラＮｏの箇所を「２５５」として出力する。
以下の動作の詳細は、実施の形態４の場合と同様のため省略するが、ＤＥＣｌとＤＥＣ３はカメラＮｏ２の映像を、ＤＥＣ２はカメラＮｏ３の映像を入力し、各々接続されたモニタで所望の映像が出力される。
【００８５】
以上のようにして実施の形態５では、映像を表示させる場所が異なる場所に点在し、且つ、モニタに表示させる指示を異なる複数の箇所から行うことが可能となり、例えば映像監視システムにおいて膨大な映像監視を複数箇所で担当範囲を分けて業務する場合等に非常に有効となる。
【００８６】
この発明による実施の形態５によれば、実施の形態１における構成において、映像選択信号を生成する映像選択指示装置（マスタ）９７３からなる第１の映像選択指示装置と、映像選択信号を生成しその映像選択信号を前記第１の映像選択指示装置に伝送する映像選択指示装置（サブ）９７２からなる第２の映像選択指示装置とを設け、前記映像選択指示装置（マスタ）９７３からなる第１の映像選択指示装置は前記映像選択指示装置（サブ）９７２からなる第２の映像選択指示装置による映像選択信号と自装置の映像選択信号を合成して、隣接しているノード装置２の端末回線インタフエースを介して各ノード装置２へ伝送し、映像を表示させる場所が異なる場所に点在し且つ、異なる場所の表示手段に表示する撮像手段による映像を各々の場所で個別に選択できるようにしたので、デジタル符号化された映像信号についての選択の自由度を適切に向上できるとともに、映像選択指示装置の特有構成により表示手段に表示する映像を複数箇所から指示できるデータ伝送装置を得ることができる。
【００８７】
実施の形態６．
この発明による実施の形態６を図１７ないし図２０について説明する。図１７は実施の形態６におけるデータ伝送装置の構成を示すブロック図である。図１８は実施の形態６におけるノード装置に収容した端末装置の伝送信号のタイムスロット割り付け例を示す説明図である。図１９は実施の形態６における映像信号のデジタル復号化装置に接続する端末回線インターフェイスの構成を示すブロック図である。図２０は実施の形態６における映像信号のデジタル符号化装置に接続する端末回線インターフェイスの構成を示すブロック図である。
この実施の形態６において、ここで説明する特有の構成以外の構成については、先に説明した実施の形態１における構成と同様の構成を有し、同様の作用を奏するものである。図中、同一符号は同一または相当部分を示す。
【００８８】
この発明に係るデータ伝送装置の実施の形態６に係るデータ伝送装置について説明する。実施の形態６では、映像選択の自由度を改善し、異なる場所のモニタに表示するカメラ映像を各々の場所で個別に選択できるようにしたものの別の実施の形態である。
【００８９】
図１７は、実施の形態６に係わるデータ伝送装置の構成図であり、図１３に対してノードＮｌおよびノードＮ２に映像選択指示装置９７４が接続された構成となっており、他の図１３と同様の符号は、同一の名称を表すものとする。
【００９０】
図１８は端末装置の間の伝送信号をＳＴＭ−１フレームのペイロードであるＶＣ４のＰＯＨを除くタイムスロットへ割付（マッピング）した例を示す。デジタル映像信号の伝送用として映像＃１，映像＃２，映像＃３の３つの領域を割り当てた例である。１つの映像当たりの割当タイムスロット数は９６タイムスロットとし、３つの映像伝送分で２８８タイムスロットの割当となる。そして、映像伝送用タイムスロットの次に映像選択信号用チヤネル１、映像選択信号用チヤネル２のタイムスロットを２タイムスロットを割り当てている。図中の映像信号および映像選択信号以外のタイムスロットは他の端末装置３の伝送用に自由に割り当て可能である。
【００９１】
図１９は、ノード装置Ｎｌ，Ｎ２に接続している映像信号のデジタル復号化装置ＤＥＣｌ，ＤＥＣ２およびＤＥＣ３ヘデジタル映像信号を出力する端末回線インタフエース部の構成例であり、２５６４は映像選択信号チヤネル設定部であリ２回路設けられている。２つある映像選択信号チヤネル設定部の一方へは映像選択信号用１に対応するポートＩＤ、もう片方へは映像選択信号用２に対応するポートＩＤが設定され、どのノード装置も同じ値が設定される。そしてどちらの映像選択信号用チヤネルを使用するかはシステムで固定的に決定され、例えばノードＮｌでは映像選択信号用チヤネル１、ノードＮ２では映像選択信号用チヤネル２を用いる。他の図４と同様の符号は同一の名称を表すものとする。
【００９２】
図２０は、ノード装置Ｎ３〜Ｎ６に接続している映像信号のデジタル符号化装置ＥＮＣ２〜ＥＮＣ５からのデジタル映像信号を入力する端末回線インタフエース部の構成例であり、２５７６は映像選択信号チヤネル設定部であリ２回路設けられている。２つある映像選択信号チヤネル設定部の一方へは映像選択信号用１に対応するポートｌＤ、もう片方へは映像選択信号用２に対応するポートｌＤが設定され、どのノード装置も同じ値が設定される。２５７３は多重分離バス制御部２５３２からの映像選択信号を受信する映像選択信号受信部であり２回路設けられている。２５７７は２つの映像選択信号受信部からの信号を入力し、双方の信号をそれぞれの内容に基づき、デジタル映像信号の多重分離バス制御部への出力を制御する映像選択信号合成部である。他の図１６と同様の符号は同一の名称を表すものとする。
【００９３】
次に、映像選択の具体的な動作を各図を用いて説明する。なお、以下の説明ではデータ伝送装置のノードＮｌ，Ｎ２のデジタル復号化装置９４と接続する端末回線インタフエースは図２０によるもの、ノードＮ３〜Ｎ６のデジタル符号化装置９２と接続する端末回線インタフエースは図２１、映像選択信号フォーマットは図６に示したものを使用するものとする。また、映像チヤネルの割り当て、端末回線インタフエース部への各種設麓は、実施の形態４および５と同じ場合について説明する。
【００９４】
ノードＮ２に接続された映像選択指示装置９７４は隣接するモニタ９６に表示したい映像例えばカメラＮｏ２とすると、映像選択信号フォーマット中の映像チヤネルＮｏ３へ出力するカメラＮｏを「２」、他の映像チヤネルＮｏへ出力するカメラＮｏの箇所を「２５５」として出力する。ノードＮｌに接続された映像選択指示装置９７４は、隣接するモニタ９６に表示したい映像例えばカメラＮｏ２、Ｎｏ３が有る場合、映像選択信号フォーマット中の映像チヤネルＮｏｌへ出力するカメラＮｏを「２」、映像チヤネルＮｏ２へ出力するカメラＮｏを「３」とし、他の映像チヤネルＮｏへ出力するカメラＮｏの箇所を「２５５」として出力する。
【００９５】
ノードＮ３の端末回線インタフエース部では、映像選択信号受信部−１では映像選択信号フォーマット中の映像チヤネルＮｏｌへ出力するカメラＮｏが「２」であること、映像選択信号受信部−２では映像選択信号フォーマット中の映像チヤネルＮｏ３へ出力するカメラＮｏが「２」であることを検出し、画像データを映像チヤネルＮｏｌおよび映像チヤネルＮｏ３の時に多重分離バス制御部２５３２へ出力するように動作する。
また、ノードＮ４の端末図線インタフエース部では、映像選択信号受信部−１で映像選択信号フォーマット中の映像チヤネルＮＯ２へ出力するカメラＮｏが「２」であることを検出し、画像データを映像チヤネルＮｏ２の時に多重分離バス制御部２５３２へ出力するように動作する。
その他の動作の詳細は、実施の形態４および５の場合と同様のため省略するが、以上の結果、ＤＥＣｌとＤＥＣ３はカメラＮｏ２の映像を、ＤＥＣ２はカメラＮＯ３の映像を入力し、各々接続されたモニタで所望の映像が出力される。
【００９６】
以上のようにして実施の形態６では、映像を表示させる場所が異なる場所に点在し、且つ、モニタに表示させる指示を異なる複数の箇所から行うことが可能となり、例えば映像監視システムにおいて膨大な映像監視を複数箇所で担当範囲を分けて業務する場合等に非常に有効となる。さらに、端末回線インタフエース部に映像選択信号受信部を複数設けて、複数のノード装置からの映像選択信号を受信できるようにしたので、外部装置で映像選択信号のやり取りを行う必要がなくなり、より取り扱いが容易になり且つ経済的な装置を提供可能となる。
【００９７】
この発明による実施の形態６によれば、実施の形態１における構成において、前記伝送路から受信する信号から該当する映像チヤネルのデータをデジタル復号化装置９４へ出力するとともに映像選択信号を前記伝送路を介して必要なノード装置２に伝送する第１の端末回線インタフエース２５６、および、前記伝送路からの映像選択信号を受信し映像選択信号に応じて該当するノード装置における所定の映像チヤネルヘ所定のカメラ９３からなる撮像手段によるデジタル映像を出力する第２の端末回線インタフエース３５７を備え、前記第２の端末回線インタフエース２５７に映像選択信号受信部２５７３を複数設けて、複数のノード装置２からの映像選択信号を受信および合成できるようにし、映像を表示させる場所が異なる場所に点在し且つ異なる場所の表示手段に表示するカメラ９３からなる撮像手段による映像を各々の場所で個別に選択できるようにしたので、デジタル符号化された映像信号についての選択の自由度を適切に向上できるとともに、端末回線インタフエースの特有構成により表示手段に表示する映像を複数箇所から指示できるデータ伝送装置を得ることができる。
【００９８】
実施の形態７．
この発明による実施の形態７を図２１ないし図２４について説明する。図２１は実施の形態７における映像信号のデジタル復号化装置に接続する端末回線インターフェイスの構成を示すブロック図である。図２２は実施の形態７における映像信号のデジタル符号化装置に接続する端末回線インターフェイスの構成を示すブロック図である。図２２は実施の形態７における映像信号のデジタル符号化装置に接続する端末回線インターフェイスの構成を示すブロック図である。図２３は実施の形態７における端末回線インターフェイスでの映像選択信号の多重／分離／中継処理部の構成を示すブロック図である。図２４は実施の形態４におけるノード装置間を中継する映像選択信号のフォーマットを示す説明図である。
この実施の形態７において、ここで説明する特有の構成以外の構成については、先に説明した実施の形態１における構成と同様の構成を有し、同様の作用を奏するものである。図中、同一符号は同一または相当部分を示す。
【００９９】
この発明に係るデータ伝送装置の実施の形態７に係るデータ伝送装置について説明する。
実施の形態７では、映像選択の自由度を改善し、異なる場所のモニタに表示するカメラ映像を各々の場所で個別に選択できるようにしたものの別の実施の形態である。
【０１００】
図２１は、実施の形態７に係わるノード装置Ｎｌ，Ｎ２に接続している映像信号のデジタル復号化装置ＤＥＣｌ，ＤＥＣ２およびＤＥＣ３ヘデジタル映像信号を出力する端末回線インタフエース部の構成例であり、２５８６は映像選択信号送信部、２５８７は映像選択信号を論理的なループ構成上に中継する機能、映像選択信号送信部からの映像選択信号がある場合には、多重するか中継するかを判定して選択信号送信部からの映像選択信号を多重分離バスヘ導く機能を有した映像選択信号多重／分離／中継処理部である。他の図４と同様の符号は同一の名称を表すものとする。
【０１０１】
図２２は、ノード装置Ｎ３〜Ｎ６に接続している映像信号のデジタル符号化装置ＥＮＣ２〜ＥＮＣ５からのデジタル映像信号を入力する端末回線インタフエース部の構成例であり、２５９３は映像選択信号受信部、２５９４は映像選択信号を論理的なループ構成上に中継する機能、多重分離バス２５３２からの映像選択信号を入力し、廃棄判定処理を行った後廃棄しない信号の分離および中継を行う映像選択信号多重／分離／中継処理部である。他の図１６と同様の符号は同一の名称を表すものとする。
【０１０２】
図２３は、図２１および図２２に記載した映像選択信号多重／分離／中継処理部の詳細な構成を示したものであり、３００１は送信元アドレス設定部、３００２は映像選択信号送信部からの映像選択信号を一時的に保持する多重メモリ部、３００３は多重メモリ部３００２にデータがある場合、そのデータに対し、送信元アドレス設定部からの情報に基づく送信元アドレスの付加と生存期限監視用のＴＴＬ値として初期値のＦＦ（１６進）の付加と先頭を識別するＳＴＸを付加する送信元アドレス／ＴＴＬ付加部、３００４は送信元アドレス／ＴＴＬ付加部３００３と中継メモリ部３００６の状態により多重分離バス制御部２５２２へ出力するデ一夕を選択する多重／中継選択制御部、３００５は多重分離バス制御部２５２２からの映像選択信号を入力し、入力信号中の送信元アドレスが３００１の送信アドレス設定部からの値と一致した場合、ＴＴＬの値をマイナス１した結果が０の場合およびＳＵＭによる検定がＮＧの場合に入力する映像選択信号を廃棄する廃棄処理部、３００８は廃棄処理部３００５で廃棄されなかった映像選択信号を論理ループに中継するための中継メモリ部、３００７は廃棄処理部３００５で廃棄されなかった映像選択信号を映像選択信号受信部２５９３へ渡し終わるまでの期間一時的に保持する分離メモリ部である。
【０１０３】
図２４は各ノード装置の端末回線インタフエースを論理的なループ構成とし、各ノード間を順に中継される映像選択信号のフォーマットである。図２４のフォーマットによる映像選択信号は、映像選択信号を最初に送信するノード装置において図２４に示す多重メモリ部３００２に出力されるがこの時ＣＭＤからＳＵＭの前までは、図６に示す同記号のものと同じものが使用される。ＳＴＸ，ＳＡ，ＴＴＬ，ＳＵＭ，ＥＴＸは最初送信するノード装置において図２３の送信元アドレス／ＴＴＬ付加部３００３で付加される。
【０１０４】
図２５のフォーマットによる映像選択信号は全てのノード装置を中継し、ノード装置内の端末回線インタフエースを中継毎に廃棄処理部３００５にてＴＴＬの減算が行われ、その結果０になると廃棄される。さらに廃棄処理部３００５ではＳＡの内容チェックされ送信元Ｂアドレスと一致した場合にも廃棄される。このようにして、ループ１周した映像選択信号は不用意に何周も周回しないようになっている。全てのノード装置を中継された映像選択信号は、各ノード装置の分離メモリ３００７を介して映像選択信号受信部へ入力される。外部映像選択指示装置９７１から映像選択指示があった場合には、接続先のノード装置内の映像選択送信部２５８６を介して図２４で示す３００２へ必要な情報が格納された後、送信元アドレス／ＴＴＬ付加部３００３にて上述したように必要な情報が付加される。多重／中継選択制御部では、中継メモリ部３００６と送信元アドレス／ＴＴＬ付加部３００３の両方に有効なデータが有る場合には、中継メモリ部３００６のデータを優先的に多重分離バス制御部２５３１へ出力するように動作する。このようにすることで、全てのノード装置の中継メモリ部３００６および他の論理ループ上のデータ保持部で有効なデータで埋め尽されるのを防止する。
なお、中継メモリ部３００６および送信元アドレス／ＴＴＬ付加部３００３の両方ともに有効なデータが存在しない場合は、アイドル状態を示すＦＦ（１６進）の連続した信号を多重分離バス制御部２５３２へ出力する。
【０１０５】
次に映像選択の具体的な動作を各図を用いて説明する。なお、以下の説明ではデータ伝送装置のノードＮｌ、Ｎ２のデジタル復号化装置９４と接続する端末回線インタフエースは図２２によるもの、ノードＮ３〜Ｎ６のデジタル符号化装置９２と接続する端末回線インタフエースは図２３、ノード装置間を伝送する映像選択信号のフォーマットは図２５に示したものを使用するものとする。また、映像チヤネルの割り当て、端末回線インタフエース部への各種設定は、実施の形態４および５と同じ場合について説明する。
【０１０６】
ノードＮ２に接続された映像選択指示装置９７４は隣接するモニタ９６に表示したい映像例えばカメラＮｏ２とすると、映像選択信号フォーマット中の映像チヤネルＮｏ３へ出力するカメラＮｏを「２」、他の映像チヤネルＮｏへ出力するカメラＮｏの箇所を「２５５」として出力する。ノードＮｌに接続された映像選択指示装置９７４は、隣接するモニタ９６に表示したい映像例えばカメラＮｏ２、Ｎｏ３が有る場合、映像選択信号フォーマット中の映像チヤネルＮｏｌへ出力するカメラＮｏを「２」、映像チヤネルＮｏ２へ出力するカメラＮｏを「３」とし、他の映像チヤネルＮｏへ出力するカメラＮｏの箇所を「２５５」として出力する。この結果、ノードＮ２に接続された映像選択指示装置９７４からの映像選択信号およびノードＮｌに接続された映像選択指示装置９７４からの映像選択信号は、全てのノード装置に伝送される。その他の動作の詳細は、実施の形態４および５の場合と同様のため省略するが、以上の結果、ＤＥＣｌとＤＥＣ３はカメラＮｏ２の映像を、ＤＥＣ２はカメラＮｏ３の映像を入力し、各々接続されたモニタで所望の映像が出力される。
【０１０７】
以上のようにして実施の形態７では、映像を表示させる場所が異なる場所に点在し、且つ、モニタに表示させる指示を異なる複数の箇所から行うことが可能となり、例えば映像監視システムにおいて膨大な映像監視を複数箇所で担当範囲を分けて業務する場合等に非常に有効となる。さらに、端末回線インタフエース部に映像選択信号の多重／分離／中継処理部を設けて、全てのノード装置で映像選択信号の送信および受信ができるようにしたので、映像選択指示を行う場所が膨大に増加しても、柔軟に対応可能となり結果的に経済的な装置が提供可能となる。
【０１０８】
この発明による実施の形態７によれば、実施の形態１における構成において、前記伝送路から受信する信号から該当する映像チヤネルのデータをデジタル復号化装置９４へ出力するとともに映像選択信号を伝送路を介して必要なノード装置２に伝送する第１の端末回線インタフエース２５８、および、前記伝送路からの映像選択信号を受信し映像選択信号に応じて該当するノード装置２における所定の映像チヤネルヘ所定のカメラからなる撮像手段によるデジタル映像を出力する第２の端末回線インタフエース２５９を備え、前記第１および第２の端末回線インタフエース２５８，２５９に映像選択信号の多重／分離／中継処理部２５８７，２５９４を設けて、全てのノード装置２で映像選択信号の送信，受信，中継ができるようにし、映像を表示させる場所が異なる場所に点在し、且つ、異なる場所の表示手段に表示する撮像手段による映像を各々の場所で個別に選択できるようにしたので、デジタル符号化された映像信号についての選択の自由度を適切に向上できるとともに、端末回線インタフエースの多重／分離／中継処理部により表示手段に表示する映像を複数箇所から指示できるデータ伝送装置を得ることができる。
【０１０９】
実施の形態８．
この発明による実施の形態８を図２５および図２６について説明する。図２５および図２６は実施の形態８における端末回線インターフェイスの構成を示すブロック図である。
この実施の形態８において、ここで説明する特有の構成以外の構成については、先に説明した実施の形態１における構成と同様の構成を有し、同様の作用を奏するものである。図中、同一符号は同一または相当部分を示す。
【０１１０】
この発明に係るデータ伝送装置の実施の形態８に係るデータ伝送装置について説明する。実施の形態８では、外部に接続していた画像符号化装置および画像復号化装置をノード装置の端末回線インタフエース内に取り込んだものである。
【０１１１】
図２５は、実施の形態８に係わるデータ伝送装置において外部に接続したモニタヘ直接アナログ信号の映像信号を出力可能とした端末回線インタフエースの構成図であり、２６１２は映像データを伝送装置を介して伝送する場合に一般的に用いられているトランスポートストリームを分離するＴＳ分離解析部、２６１３はＴＳ分離解析部からのデータをデジタル信号の画像データに複合する映像複合部、２６１４は映像複合部２６１３からのデジタル信号をアナログ信号に変換等の処理をＮＴＳＣ信号に変換する映像出力部である。他の図１９と同様の符号は、同一の名称を表すものとする。
【０１１２】
図２６は、外部に接続したカメラの映像を直接入力し、必要なノード装置へ伝送可能とした端末回線インタフエースの構成図であり、２６２１は外部接続されたカメラからのＮＴＳＣ信号を所定のデジタル信号に変換する画像入力部、２６２２は画像符号化を行う画像符号化部、２６２３画像符号化部２６２２からの画像信号を入力し、トランスポートストリームに変換するＴＳ多重部である。
【０１１３】
この実施の形態では、データ伝送装置のノードＮｌ，Ｎ２のデジタル復号化装置９４と接続する端末回線インタフエースは図２６によるもの、ノードＮ３〜Ｎ６のデジタル符号化装置９２と接続する端末回線インタフエースは図２６、映像選択信号フォーマットは図６に示したものを使用するものとする。また、映像チヤネルの割り当て、端末回線インタフエース部への各種設定は、実施の形態６と同様にすることで、実施の形態６で説明した動作と同様の動作が可能となる。さらにこの実施の形態では、映像複合部と映像出力制御部を端末回線インタフエース部に内蔵しているため、映像選択信号により映像の切り替わりが発生した場合、その事を検知して、それまで出力していた映像を一時的に停止させることで、映像切り替わり時の乱れを防止することが可能となる。
【０１１４】
この発明による実施の形態８によれば、実施の形態１における構成において、伝送路から受信する信号から該当する映像チヤネルのデータをデジタル復号化装置へ出力するとともに映像選択信号を伝送路を介して必要なノード装置に伝送する第１の端末回線インタフエース、および、伝送路からの映像選択信号を受信し映像選択信号に応じて該当するノード装置における所定の映像チヤネルへ所定の撮像手段によるデジタル映像を出力する第２の端末回線インタフエースを備え、前記第２の端末回線インタフエースに映像選択信号受信部を複数設けて、複数のノード装置からの映像選択信号を受信および合成できるようにするとともに、前記映像選択信号による映像の切り替わりに応じて出力映像を一時的に停止させるようにしたので、デジタル符号化された映像信号についての選択の自由度を適切に向上できるとともに、表示手段に表示する映像を複数箇所から指示でき、しかも、映像切り替え時の乱れを適確に防止できるデータ伝送装置を得ることができる。
【０１１５】
この発明による実施の形態では、次の通りの目的を有している。
第１の目的は、データ伝送装置でデジタル符号化された映像信号の選択を自由に行えるようにすること、第２の目的は選択された映像信号をさらに他のデータ伝送装置を用いて伝送する場合、デジタル符号化された映像信号をアナログ信号に戻すことなく、そのまま渡すことができるようにすること、第３の目的は必要な映像信号のみを選択伝送することによリデータ伝送装置で扱える最大伝送容量を遥かに超えた映像端末装置を接続可能とすること、第４の目的は同じカメラ映像を複数箇所に設置されたモニタで表示可能とすること、第５の目的はカメラ映像の選択を複数箇所から指定可能とすることである。
【０１１６】
この発明による実施の形態では、次の（１）〜（８）項にそれぞれ示す構成を具備している。
（１）  デジタル化多重信号を所定方向に伝送する第１の伝送路と所定方向とは反対方向に伝送する第２の伝送路とからなるループ状の伝送路と、前記ループ状の伝送路を介して相互に信号のやり取りを行う複数の端末装置と、前記伝送路の途中に配置され、前記伝送路に伝送される信号のうち、所定のタイムスロットの信号を抽出して多重分離し前記端末装置に向けて送り出し、または前記端末装置からの信号を取り込んで多重化し、前記伝送路へ送り出すノード装置とからなるデータ伝送装置において、伝送路から受信する信号から該当する映像チヤネルのデータをデジタル復号化装置へ出力するとともに映像選択信号を伝送路を介して必要なノード装置に伝送する専用の端末回線インタフエースおよび伝送路からの映像選択信号を受信して映像選択信号を解析し該当ノード装置のカメラＮｏに一致した映像チヤネルヘデジタル映像を出力する専用の端末回線インタフエースを備えて、映像選択指示装置からの映像要求に基づき所望のカメラ映像を所望のモニタに表示させるようにしたことを特徴とするデータ伝送装置。
（２）  多重化／多重分離部は伝送路からのデジタル受信信号を再び伝送路へ送り出すまでの間一時記憶する受信中継メモリと、端末装置から送り込まれる多重化のためのデジタル多重化信号を一時記憶する多重メモリと、前記多重メモリから読み出される内容を前記受信中継メモリから読み出される内容に入替える部分の多重化フレーム上のタイムスロットのアドレス指定と、この入替えを制御する信号を発生する多重メモリアドレス変換部と、前記受信中継メモリの内容と前記多重メモリの内容を前記多重メモリアドレス変換部からの制御に基ずいて切り替えるセレクタ部と、前記デジタル受信信号を多重分離するために一時記憶する分離メモリと、前記端末装置から送り込まれる多重化のためのデジタル多重化信号を一時記憶する局内交換メモリと、前記局内交換メモリから読み出される内容を前記分離メモリから読み出される内容に入替える部分の多重化フレーム上のタイムスロットのアドレスの指定と、この入替えを制御する信号を発生する分離メモリアドレス変換部と、前記分離メモリの内容と前記局内交換メモリの内容を前記分離メモリアドレス変換部からの制御に基ずいて切り替えるセレクタとを備え、タイムスロットをデジタル符号化された映像信号に必要な容量毎の映像チヤネルに分割した内容を多重メモリアドレス変換部および、分離メモリアドレス変換部に対応させて設定するとともに、映像選択信号のタイムスロットおよび他の通信用途のタイムスロットも設定し、映像選択指示装置からは前記映像チヤネルの番号を指定可能とすることでト映像選択指示装置からの映像要求に基づき所望のカメラ映像を所望のモニタに表示させるようにしたことを特徴とする前記（１）項に記載のデータ伝送装置。
（３）  伝送路から受信する信号から該当する映像チヤネルのデータをデジタル復号化装置へ出力するとともに映像選択信号を伝送路を介して必要なノード装置に伝送する機能と、伝送路からの映像選択信号を受信して映像選択信号を解析し該当ノード装置のカメラＮｏに一致した映像チヤネルヘデジタル映像を出力する機能とを合わせ持った、専用の端末回線インタフエースを備えたことを特徴とする、前記（１）項に記載のデータ伝送装置。
（４）  伝送路からの映像選択信号を受信して映像選択信号を解析し該当ノード装置のカメラＮｏに一致した映像チヤネルヘデジタル映像を出力する機能、保持メモリを備え１２５μＳ周期で映像データを更新し、１２５μＳ期間中は同じ映像データを複数の映像チヤネルへ配信可能とした端末回線インタフエースを備え、複数のノード装置に隣接されている異なる場所のモニタヘ自由にカメラ映像が表示できるようにした特徴とする、前記（１）項に記載のデータ伝送装置。
（５）  映像選択指示装置にマスタとサブを設け、映像選択指示装置サブの映像選択信号を汎用インタフエースを用いて一度映像選択指示装置マスタヘ伝送し、映像選択指示装置マスタは映像選択指示装置サブの要求と自装置の要求を合成して、隣接しているノード装置の端末回線インタフエースを化して映像選択信号を各ノード装置へ伝送し、映像を表示させる場所が異なる甥所に点在し且つ、異なる場所のモニタに表示するカメラ映像を各々の場所で個別に選択できるようにしたことを特徴とする前記（１）項に記載のデータ伝送装置。
（６）  伝送路から受信する信号から該当する映像チヤネルのデータをデジタル復号化装置へ出力するとともに映像選択信号を伝送路を介して必要なノード装置に伝送する専用の端末回線インタフエースおよび伝送路からの映像選択信号を受信して映像選択信号を解析し該当ノード装置のカメラＮｏに一致した映像チヤネルヘデジタル映像を出力する専用の端末回線インタフエースに映像選択信号受信部を複数設けて、複数のノード装置からの映像選択信号を受信および合成できるようにし、映像を表示させる場所が異なる場所に点在し且つ異なる場所のモニタに表示するカメラ映像を各々の場所で個別に選択できるようにしたことを特徴とする前記（１）項に記載のデータ伝送装置。
（７）  伝送路から受信する信号から該当する映像チヤネルのデータをデジタル復号化装置へ出力するとともに映像選択信号を伝送路を介して必要なノード装置に伝送する専用の端末回線インタフエースおよび伝送路からの映像選択信号を受信して映像選択信号を解析し該当ノード装置のカメラＮｏに一致した映像チヤネルヘデジタル映像を出力する専用の端末回線インタフエースに映像選択信号の多重／分離／中継処理部を設けて、全てのノード装置で映像選択信号の送信、受信、中継ができるようにし、映像を表示させる場所が異なる場所に点在し且つ、異なる場所のモニタに表示するカメラ映像を各々の場所で個別に選択できるようにしたことを特徴とする前記（１）項に記載のデータ伝送装置。
（８）  伝送路から受信する信号から該当する映像チヤネルのデータをデジタル復号化装置へ出力するとともに映像選択信号を伝送路を介して必要なノード装置に伝送する専用の端末回線インタフエースおよび伝送路からの映像選択信号を受信して映像選択信号を解析し該当ノード装置のカメラＮｏに一致した映像チヤネルへデジタル映像を出力する専用の端末回線インタフエースに映像選択信号受信部を複数設けて、複数のノード装置からの映像選択信号を受信および合成できるようにし、また映像符号化部，映像復号化部を設けることで、映像選択信号により映像の切り替わりが発生した場合、その事を検知して、それまで出力していた映像を一時的に停止させることで、映像切り替わり時の映像の乱れを無くしたことを特徴とする前記（１）項に記載のデータ伝送装置。
【０１１７】
【発明の効果】
この発明に係るデータ伝送装置は、デジタル化多重信号を所定方向に伝送する第１の伝送路と所定方向とは反対方向に伝送する第２の伝送路とからなるループ状の伝送路と、前記ループ状の伝送路を介して相互に信号のやり取りを行う複数の端末装置と、前記伝送路の途中に配置され、前記伝送路に伝送される信号のうち、所定のタイムスロットの信号を抽出して多重分離し前記端末装置に向けて送り出し、または、前記端末装置からの信号を取り込んで多重化し、前記伝送路へ送り出すノード装置とからなるデータ伝送装置において、伝送路から受信する信号から該当する映像チヤネルのデータをデジタル復号化装置へ出力するとともに映像選択信号を伝送路を介して必要なノード装置に伝送する第１の端末回線インタフエース、および、伝送路からの映像選択信号を受信し映像選択信号に応じて該当するノード装置において所定の映像チヤネルヘ所定の撮像手段によるデジタル映像を出力する第２の端末回線インタフエースを備えたものであって、前記ノード装置は、多重化フレーム上の所定のタイムスロットへデータ信号を多重化し、あるいは、多重化フレーム上の所定のタイムスロットからデータ信号を抽出して多重分離を行う多重化／多重分離部を備え、前記多重化／多重分離部は、伝送路からのデジタル受信信号を再び伝送路へ送り出すまでの間一時記憶する受信中継メモリと、端末装置から送り込まれる多重化のためのデジタル多重化信号を一時記憶する多重メモリと、前記多重メモリから読み出される内容を多重化フレーム上のタイムスロットのアドレス指定によって前記受信中継メモリから読み出される内容に入替える制御を行う信号を発生する多重メモリアドレス変換部と、前記受信中継メモリの内容と前記多重メモリの内容を前記多重メモリアドレス変換部からの制御に基ずいて切り替えるセレクタ部と、前記デジタル受信信号を多重分離するために一時記憶する分離メモリと、前記端末装置から送り込まれる多重化のためのデジタル多重化信号を一時記憶する局内交換メモリと、前記局内交換メモリから読み出される内容を多重化フレーム上のタイムスロットのアドレス指定によって前記分離メモリから読み出される内容に入替える制御を行う信号を発生する分離メモリアドレス変換部と、前記分離メモリの内容と前記局内交換メモリの内容を前記分離メモリアドレス変換部からの制御に基ずいて切り替えるセレクタとを備え、タイムスロットをデジタル符号化された映像信号に必要な容量毎の映像チヤネルに分割した内容を多重メモリアドレス変換部、および、分離メモリアドレス変換部に対応させて設定するとともに、映像選択信号のタイムスロットおよび他の通信用途のタイムスロットをも設定し、映像選択指示装置からは前記映像チヤネルの番号を指定可能とすることで、映像選択信号による映像要求に基づき所望の撮像手段による映像を所望の表示手段に表示させるようにしたことを特徴とするものなので、デジタル符号化された映像信号についての選択の自由度を適切に向上できるとともに、映像選択伝送を容易に可能とし、映像信号以外の伝送をも可能とするデータ伝送装置を得ることができる。
【図面の簡単な説明】
【図１】  この発明による実施の形態１に係るデータ伝送装置の構成を示すブロック図である。
【図２】  この発明による実施の形態１に係わるデータ伝送装置のノード装置の構成を示すブロック図である。
【図３】  この発明による実施の形態１に係るノード装置に収容した端末装置の伝送信号のタイムスロット割り付け例を示す説明図である。
【図４】  この発明による実施の形態１に係る映像信号のデジタル復号化装置に接続する端末回線インタフエースの構成を示すブロック図である。
【図５】  この発明による実施の形態に係る映像信号のデジタル符号化装置に接続する端末回線インタフエースの構成を示すブロック図である。
【図６】  この発明による実施の形態に係る映像選択信号フォーマットを示す説明図である。
【図７】  この発明による実施の形態に係る多重化／分離部の構成を示すブロック図である。
【図８】  この発明による実施の形態に係る多重化／分離部の多量メモリアドレス変換部の構造を示す説明図である。
【図９】  この発明による実施の形態に係る多重化／分離部の分離メモリアドレス変換部の構造を示す説明図である。
【図１０】  この発明による実施の形態２に係る多重化／分離部の多重メモリアドレス変換部の設定例を示す説明図である。
【図１１】  この発明による実施の形態２に係る多重化／分離部の分離メモリアドレス変換部の設定例を示す説明図である。
【図１２】  この発明による実施の形態３に係る映像信号のデジタル符号化装置又はデジタル復号化装置に接続する端末回線インタフエースの構成を示すブロック図である。
【図１３】  この発明による実施の形態４に係るデータ伝送装置の構成を示すブロック図である。
【図１４】  この発明による実施の形態４に係るノード装置に収容した端末装置の伝送信号のタイムスロット割り付け例を示す説明図である。
【図１５】  この発明による実施の形態４に係る映像信号のデジタル符号化装置に接続する端末回線インタフエースの構成を示すブロック図である。
【図１６】  この発明による実施の形態５に係るデータ伝送装置の構成を示すブロック図である。
【図１７】  この発明による実施の形態６に係るデータ伝送装置の構成を示すブロック図である。
【図１８】  この発明による実施の形態６に係るノード装置に収容した端末装置の伝送信号のタイムスロット割り付け例を示す説明図である。
【図１９】  この発明による実施の形態６に係る映像信号のデジタル復号化装置に接続する端末回線インタフエースの構成を示すブロック図である。
【図２０】  この発明による実施の形態６に係る映像信号のデジタル符号化装置に接続する端末回線インタフエースの構成を示すブロック図である。
【図２１】  この発明による実施の形態７に係る映像信号のデジタル復号化装置に接続する端末回線インタフエースの構成を示すブロック図である。
【図２２】  この発明による実施の形態７に係る映像信号のデジタル符号化装置に接続する端末回線インタフエースの構成を示すブロック図である。
【図２３】  この発明による実施の形態７に係る端末回線インタフエースの映像選択信号の多重／分離／中継処理部の詳細構成を示すブロック図である。
【図２４】  この発明による実施の形態７に係るノード装置間を中継する映像選択信号のフォーマットを示す説明図である。
【図２５】  この発明による実施の形態８に係る端末回線インタフエースの構成を示すブロック図である。
【図２６】  この発明による実施の形態８に係る端末回線インタフエースの構成を示すブロック図である。
【図２７】  従来のデータ伝送装置の構成を示すブロック図である。
【図２８】  従来のデータ伝送装置のノード装置の構成を示すブロック図である。
【図２９】  ＳＤＨ方式によるＳＴＭ−１の多重化フレーム構造を示した説明図である。
【図３０】  従来のデータ伝送装置を用いてデジタル符号化された映像信号を伝送する場合の構成を示すブロック図である。
【符号の説明】
２  ノード装置（Ｎｌ〜Ｎ６）、３  端末装置、９２  デジタル符号化装置、９３  カメラ、９４  デジタル復号化装置、９６  テレビモニタ、９７１  映像選択指示装置、１０  反時計方向の光伝送路を構成する０系伝送路、１１  時計方向の光伝送路を構成する１系伝送路、２０ａ  Ａ系ＳＴＭ−１終端部、２０ｂ  Ｂ系ＳＴＭ−１終端部、２１１  光／電気変換部２１１、２１２  電気／光変換部２１２、２２  ＳＴＭ−１終端部、２３  系選択回路部、２４，２４１  多重化／多重分離部、２６  多重／分離バス、２５１  端末回線インタフエース部、３  端末装置、２７  ノード管理プロセッサー部。
【図１】
0003893493.tif 000002
【図２】
0003893493.tif 000003
【図３】
0003893493.tif 000004
【図４】
0003893493.tif 000005
【図５】
0003893493.tif 000006
【図６】
0003893493.tif 000007
【図７】
0003893493.tif 000008
【図８】
0003893493.tif 000009
【図９】
0003893493.tif 000010
【図１０】
0003893493.tif 000011
【図１１】
0003893493.tif 000012
【図１２】
0003893493.tif 000013
【図１３】
0003893493.tif 000014
【図１４】
0003893493.tif 000015
【図１５】
0003893493.tif 000016
【図１６】
0003893493.tif 000017
【図１７】
0003893493.tif 000018
【図１８】
0003893493.tif 000019
【図１９】
0003893493.tif 000020
【図２０】
0003893493.tif 000021
【図２１】
0003893493.tif 000022
【図２２】
0003893493.tif 000023
【図２３】
0003893493.tif 000024
【図２４】
0003893493.tif 000025
【図２５】
0003893493.tif 000026
【図２６】
0003893493.tif 000027
【図２７】
0003893493.tif 000028
【図２８】
0003893493.tif 000029
【図２９】
0003893493.tif 000030
【図３０】
0003893493.tif 000031